(57)【要約】      （修正有）【課題】夏場のシャツ着用者の通勤や野外作業時などにおける首周りを冷やし、暑さを軽減する保冷具を提供する。【解決手段】保冷具は、保冷剤が合成樹脂製の縦１〜６ｃｍ、横１〜７ｃｍの大きさの袋体に厚み０．５〜１．５ｃｍになるように封入され、かつ袋体が横一列に１ｃｍ以内の幅の接着代を介して４〜２５の数で全長５〜５０ｃｍになるように連結されている保冷部材と、保冷部材よりやや大きくかつ保冷部材を出し入れ可能な開口部を有する収納部から構成される。保冷部材の接着代が横方向の両端部分および袋体の連結部分に形成され、さらに保冷部材の横方向の両端部分は収納部の中に容易に出し入れできるように角が取れた形状となっている。【選択図】図１
0003175214.tif 000002
【実用新案登録請求の範囲】
【請求項１】
保冷剤が合成樹脂製の縦１〜６ｃｍ、横１〜７ｃｍの大きさの袋体に厚み０．５〜１．５ｃｍになるように封入され、かつ前記袋体が横一列に１ｃｍ以内の幅の接着代を介して４〜２５の数で全長５〜５０ｃｍになるように連結されている保冷部材と、
前記保冷部材よりやや大きくかつ前記保冷部材を出し入れ可能な開口部を有する収納部から構成されており、
前記保冷部材の接着代が横方向の両端部分および前記袋体の連結部分に形成され、さらに前記保冷部材の横方向の両端部分は前記収納部の中に容易に出し入れできるように角が取れた形状となっており、
使用者は冷却した前記保冷部材を前記開口部から挿入して前記収納部に収納した後、前記収納部を首に沿わせて首周りを冷却することを特徴とする保冷具。
【請求項２】
さらに前記収納部の片側に両面テープが貼付された粘着部と、
前記粘着部を覆っている剥離紙が形成されており、
使用者は冷却した前記保冷部材を前記収納部に収納した後、前記剥離紙を剥がして露出させた前記粘着部を着用しているシャツの襟部に粘着させて利用することを特徴とする請求項１に記載の保冷具。
【請求項３】
前記収納部の左右両端部分と連結手段を介して連結された係止部が設けられており、前記各係止部をシャツの襟部の端に係止できるようにしたことを特徴とする請求項１または２のいずれかに記載の保冷具。
【考案の詳細な説明】
【技術分野】
【０００１】
本考案は、夏の暑さ対策のために使用者の首周りに当てて使用する保冷具に関するものである。
【背景技術】
【０００２】
従来、衣服に保冷剤を入れることによる夏の暑さ対策が、いろいろと行われて来ている。
例えば、保冷剤を用いるが、重量を増すことなく、数倍も長く保冷効果が継続する保冷服を提供することを目的として、体を被う服に多数の収納部を、その素材の表面と裏面とに設け、表面の収納部に融点の低い保冷剤バックを、裏面の収納部に融点の高い保冷剤バックをそれぞれ納めたことを特徴とする保冷服（特許文献１を参照）が提供されている。
しかし、この保冷服では通常着る衣服の他に特殊な服を別に着ることが必要であり、一般のビジネスマンなどが夏に外出する際に着用するには不適当である。
【０００３】
また、風の強さなどの自然条件に影響されることなく冷却効果が得られ、首に巻いた場合には服が濡れないようにすることを目的として、表裏両面がフェルト地のポケットを布地に取り付け、ポケットに保冷剤を出し入れ可能に設けてあり、また、二つのポケットを一列に並べ、両ポケットは、フェルト地を二つ折りして長方形にすると共に重ね合わせた縁部を逢着し、フェルト地の表面の横幅中央部に縦向きのスリットを備え、スリットを両ポケットの共通の入口としても良い保冷用装身具（特許文献２を参照）が提供されている。
【先行技術文献】
【特許文献】
【０００４】
【特許文献１】特開２００９−１２７１４７号公報
【特許文献２】特開２００３−５５８２３号公報
【考案の概要】
【考案が解決しようとする課題】
【０００５】
しかし、特許文献２に記載の保冷用装身具の場合でも、通常着用する衣服の他に、本保冷用装身具を別に着用することが必要となる。
そこで、本考案の目的は、保冷用の衣服や装身具を別に着用することなく、通常のシャツを着用時に容易に使用することができるようにすることで、夏場の通勤や野外作業時等において使用者の首周りを冷やし、暑さを軽減することを実現することである。
【課題を解決するための手段】
【０００６】
上記の課題を解決するために、本考案にかかる保冷具は、保冷剤が合成樹脂製の縦１〜６ｃｍ、横１〜７ｃｍの大きさの袋体に厚み０．５〜１．５ｃｍになるように封入され、かつ前記袋体が横一列に１ｃｍ以内の幅の接着代を介して４〜２５の数で全長５〜５０ｃｍになるように連結されている保冷部材と、前記保冷部材よりやや大きくかつ前記保冷部材を出し入れ可能な開口部を有する収納部から構成されており、前記保冷部材の接着代が横方向の両端部分および前記袋体の連結部分に形成され、さらに前記保冷部材の横方向の両端部分は前記収納部の中に容易に出し入れできるように角が取れた形状となっており、使用者は冷却した前記保冷部材を前記開口部から挿入して前記収納部に収納した後、前記収納部を首に沿わせて首周りを冷却することを特徴とする。
【０００７】
さらに前記収納部の片側に両面テープが貼付された粘着部と、前記粘着部を覆っている剥離紙が形成されており、使用者は冷却した前記保冷部材を前記収納部に収納した後、前記剥離紙を剥がして露出させた前記粘着部を着用しているシャツの襟部に粘着させて利用することを特徴とする。
【０００８】
また、前記収納部の左右両端部分と連結手段を介して連結された係止部が設けられており、前記各係止部をシャツの襟部の端に係止できるようにしたことを特徴とする。
【考案の効果】
【０００９】
第１に、冷却した保冷部材を収納部に入れて使用者の首周りの部分を快適に冷やすので、効果的に保冷効果を発揮することができる。
第２に、保冷部材は首周りに沿いやすい構造になっているため、収納部に入れて首と襟との間に挟むだけで簡単に使用することができ、使い勝手が向上するという効果を発揮することができる。
第３に、粘着部や係止部を設けることによって、シャツの襟から脱落せずに確実に取り付けることができるという効果も発揮することができる。
【図面の簡単な説明】
【００１０】
【図１】本考案にかかる保冷具の説明図である。
【図２】本考案にかかる保冷具で用いる保冷部材の説明図である。
【考案を実施するための形態】
【００１１】
通常のシャツを利用して、簡単に使用者の首周りを冷やすことのできる保冷具を考案することで、夏の暑さ対策を実現した。
【実施例１】
【００１２】
以下、図面を参照しながら、本考案の実施の形態について詳しく説明する。
図１は、本考案にかかる保冷具の説明図である。
本考案に係る保冷具は、保冷剤が封入された袋体１１が連結された保冷部材１０と、保冷部材１０を収納する収納部２とから構成されている。
【００１３】
保冷剤が、合成樹脂製の縦１〜６ｃｍ、横１〜７ｃｍの大きさの袋体１１に厚み０．５〜１．５ｃｍになるように封入されている。
図２は、本考案にかかる保冷具で用いる保冷部材の説明図である。
このように、袋体１１が横一列に１ｃｍ以内の幅の接着代１２を介して４〜２５の数で全長５〜５０ｃｍになるように連結されている。
そして、保冷部材１０の接着代１２が横方向の両端部分および袋体１１の連結部分に形成され、さらに保冷部材１０の横方向の両端部分は収納部１１の中に容易に出し入れできるように角が取れた形状となっている。
保冷部材１０の材料としては、ポリエチレン、ポリプロピレンなど様々な合成樹脂製のものが適用可能である。
【００１４】
保冷部材１０は、保冷効果とのバランスを考慮しながら、首周りに沿いやすい工夫がされている。
袋体１１は、シャツの襟の部分に隠して装着する場合だけでなく、デザイン性のある収納部２に入れて敢えて襟からスカーフのように見せて装着する場合もあることから、縦１〜６ｃｍの範囲である。
袋体１１の厚みは、厚ければ保冷時間が増すが首周りに沿いにくくなるので１．５ｃｍ以内である。
袋体１１の連結部分の接着代１２の存在により、首周りに沿いやすい構造になっている。しかし、この接着代１２の部分には保冷効果がないので、接着代１２の横幅は１ｃｍ以内である。
さらに、保冷部材１０の横方向の両端部分に形成されている接着代１２は、保冷部材１０を収納部２の中に容易に出し入れできるように角が取れた形状となっている。
【００１５】
次に、収納部２について、説明する。
収納部２は、保冷部材１０を収納できる保冷部材１０よりやや大きくかつ保冷部材１０を出し入れ可能な開口部３を有するものである。開口部３は収納部左右の片端、両端、中央、上部、または下部のいずれにあっても良い。
従って、収納部２に収納する保冷部材１０は、開口部３を利用して収納部２に出し入れ可能である。また、開口部３以外の部分は横に長い袋状になっているので、保冷部材１０を収納部２に収納した後は脱落しない。
そして、使用者は冷却した保冷部材１０を開口部３から挿入して収納部２に収納した後、収納部２を首に沿わせて首周りを冷却する。
このように、収納部２の中に冷却した保冷部材１０を収納することにより使用者の首周りに直接触れないので、冷えすぎや使用者の服が濡れることを防止し、快適に首周りを冷やすことができる。
収納部２の材料としては、綿布、不織布など様々なものが適用可能である。収納部の素材やデザインによっては、敢えて保冷具を隠さないで、スカーフのように首周りをおしゃれに見せることも可能である。
【００１６】
また、さらに収納部２の片側に両面テープが貼付された粘着部４と、その粘着部４を覆っている剥離紙が形成されていても良い。
粘着部４の形状としては、矩形、楕円形など様々なものが適用可能である。
使用者は冷却した保冷部材１０を収納部２に収納した後、粘着部４を覆っている剥離紙を剥がして露出させた粘着部４を着用しているシャツの襟部に粘着させて使用する。
【００１７】
また、収納部２の左右両端部分と連結手段５を介して連結された係止部６を設けて、各係止部６をシャツの襟部の端に係止できるようにしても良い。
係止部６としては、金属製のバッジ、プラスチック製のクリップなど様々なものが適用可能である。
連結手段５としては、布製の紐、ゴム製の紐、金属製のチェーンなど様々なものが適用可能である。
【００１８】
本実施例の効果について、説明する。
第１に、冷却した保冷部材１０を収納部２に入れて使用者の首周りの部分を快適に冷やすので、効果的に保冷効果を発揮することができる。
第２に、保冷部材１０は首周りに沿いやすい構造になっているため、収納部２に入れて首と襟との間に挟むだけで簡単に使用することができ、使い勝手が向上するという効果を発揮することができる。
第３に、粘着部４や係止部６を設けることによって、シャツの襟から脱落せずに確実に取り付けることができるという効果も発揮することができる。
【符号の説明】
【００１９】
１  保冷具
２  収納部
３  開口部
４  粘着部
５  連結手段
６  係止部
１０  保冷部材
１１  袋体
１２  接着代
【図１】
0003175214.tif 000003
【図２】
0003175214.tif 000004